(57)【要約】【課題】妨害波検出のために第１無線通信機の受信回路を動作させることも、妨害波レベルの設定および調整をも不要にし、かつ妨害回避が最適に行える無線通信装置を提供する。【解決手段】携帯電話機に装着される第１無線通信機と該携帯情報端末装置に装着される第２無線通信機とからなり、携帯電話機による受信内容情報に基づく信号を携帯電話からの出力電波よりも微弱な電波にて第１無線通信機から送信し、該微弱な電波を第２無線通信機にて受信し、第２無線通信機からの微弱な送信電波を第１無線通信機で受信する無線通信装置において、図１（ａ）に示すように携帯電話機のＴＣＨフレーム信号から携帯電話機の受信タイミングに同期して、図１（ｂ）に示すように第１無線通信機から微弱な電波の送信を開始し、図１（ｃ）に示すように第２無線通信機において信号受信をトリガにして微弱な電波を送信する。【選択図】　　　　図１
2004064403.tif 000002
【特許請求の範囲】
【請求項１】
携帯電話機に装着される第１無線通信機と携帯情報端末装置に装着される第２無線通信機とからなり、携帯電話機による受信内容情報に基づく信号を携帯電話からの出力電波よりも微弱な電波にて第１無線通信機から送信し、該微弱な電波を第２無線通信機にて受信し、第２無線通信機からの微弱な送信電波を第１無線通信機で受信するようにした無線通信装置において、携帯電話機のＴＣＨフレーム信号から携帯電話機の受信タイミングに同期して第１無線通信機から微弱な電波を送信し、第２無線通信機において信号受信をトリガにして微弱な電波を送信することを特徴とする無線通信装置。
【発明の詳細な説明】
【０００１】
【発明の属する技術分野】
本発明は携帯電話機に装着されて携帯電話機からの情報に基づく信号を微弱電波によりＰＤＡ等の携帯情報端末装置に無線通信によって送受信するようにした無線通信装置に関する。
【０００２】
【従来の技術】
従来、図２に示すように携帯電話機１に例えば１６ピンのコネクタにより装着される無線通信機２とＰＤＡ等の携帯情報端末装置３に装着された無線通信機４とからなり、携帯電話機１による受信内容情報に基づく信号を携帯電話機１からの送信電波よりも微弱な電波（微弱電波とも記す）にて無線通信機２から送信し、該微弱電波を無線通信機４にて受信し、無線通信機４からの送信微弱電波を携帯電話機１に装着された無線通信機２で受信するようにした無線通信装置が知られている。
【０００３】
かかる無線通信装置において、相互の交信は図２に示すタイミングによって行われていた。すなわち、図３（ａ）は携帯電話機１からの送信信号の出力タイミングを示している。図３（ｂ）は携帯電話機１の送信信号レベルを探索するため無線通信機２の電源をオン状態に制御するタイミングを示している。図３（ｂ）に示す送信時期を含む所定範囲にわたって無線通信機２の受信回路電源をオン状態に制御して、携帯電話機１の送信信号レベルを検出して、該検出送信信号レベルに基づいて送信信号ありと判別している。図３（ｃ）は検出した携帯電話機１の送信信号レベルを示している。
【０００４】
しかるに、携帯電話機１からの送信電波が携帯情報端末装置３との無線通信による交信のための微弱電波に影響を与えるために、携帯電話機１の送信電波の出力タイミングをはずして、図３（ｄ）に示すタイミングで無線通信機２から微弱電波を送信し、図３（ｅ）に示すタイミングで無線通信機４からの送信微弱電波を受信している。
【０００５】
このように従来のこの種の無線通信装置では、無線通信機２の受信回路を動作させて微弱電波に対する妨害波を検出することにより、微弱電波の送信タイミングを妨害波の存在時期からずらすことによって、妨害の回避を行っている。
【０００６】
【発明が解決しようとする課題】
しかし、従来の無線通信装置において、上記したように携帯電話機に装着した第１無線通信機と携帯情報端末装置に装着した第２無線通信機との交信のために、妨害波の検出のため第１無線通信機の受信回路を動作させなければならず、電力消費が生じるという問題点があった。さらに、図３（ｃ）に示すように妨害波の存否を検出するために、妨害波レベルの設定、該レベルの調整が必要であって、製造時の工数が増加するという問題点もあった。さらに、折り畳み形状か、ストレート形状かなどの携帯電話機の形状、携帯電話機のアンテナとの位置関係などを含む周囲状況で妨害波の受信レベルが変化するため、妨害回避が最適に行われないという問題点もあった。
【０００７】
本発明は、妨害波検出のために第１無線通信機の受信回路を動作させることも、妨害波レベルの設定および該レベルの調整をすることも不要にし、かつ妨害回避が最適に行える無線通信装置を提供することを目的とする。
【０００８】
【課題を解決するための手段】
本発明の無線通信装置は、携帯電話機に装着される第１無線通信機と携帯情報端末装置に装着される第２無線通信機とからなり、携帯電話機による受信内容情報に基づく信号を携帯電話からの出力電波よりも微弱な電波にて第１無線通信機から送信し、該微弱な電波を第２無線通信機にて受信し、第２無線通信機からの微弱な送信電波を第１無線通信機で受信するようにした無線通信装置において、携帯電話機のＴＣＨフレーム信号から携帯電話機の受信タイミングに同期して第１無線通信機から微弱な電波を送信し、第２無線通信機において信号受信をトリガにして微弱な電波を送信することを特徴とする。
【０００９】
本発明の無線通信装置によれば、携帯電話機のＴＣＨフレーム信号から携帯電話機の受信タイミングに同期して、第１無線通信機から微弱な電波の送信が開始され、第２無線通信機において信号受信をトリガにして微弱な信号が送信されるため、第１無線通信機からの微弱な電波の送信および第２無線通信機からの微弱な電波の受信は携帯電話機の受信期間に行われることになって、携帯電話機の送信電波による妨害を回避することがができる。この場合に、妨害波の検出のために第１無線通信機の受信回路を動作させることも、妨害波レベルの設定および該レベルの調整をすることも不要であり、かつ妨害回避が最適に行える。
【００１０】
【発明の実施の形態】
以下、本発明にかかる無線通信装置を実施の一形態によって説明する。
【００１１】
図１は本発明の実施の一形態にかかる無線通信装置の微弱電波の送受信タイミングを示すタイミング図である。
【００１２】
本発明の実施の一形態にかかる無線通信装置は、図２に示すように、携帯電話機１に例えば１６ピンのコネクタにより装着される第１無線通信機に対応する無線通信機２とＰＤＡ等の携帯情報端末装置３に装着される第２無線通信機に対応する無線通信機４とからなり、携帯電話機１による受信内容情報に基づく信号を携帯電話１からの送信電波よりも微弱な電波にて無線通信機２から送信し、該微弱な電波を第２無線通信機４にて受信し、第２無線通信機４からの送信電波を無線通信機２で受信するように構成されている。
【００１３】
かかる無線通信装置において、本発明の実施の一形態では図１（ａ）に示す携帯電話機１の１６ピンのコネクタ中のＴＣＨフレーム信号から携帯電話機１の受信タイミングに同期して、図１（ｂ）に示すように無線通信機２から微弱電波の送信を開始する。無線通信機２から送信される微弱電波を無線通信機４で受信して、この信号受信をトリガにしてし、無線通信機４は図１（ｃ）に示す如く微弱電波の送信タイミングを得て、送信を行う。
【００１４】
このように、無線通信機２における微弱電波の送信および受信は、携帯電話機１の受信期間中に行われるため、携帯電話機１の送信電波により微弱電波が妨害されることはなくなり、双方向の通信が妨害を受けなくなる。また、携帯電話機１の送信電波による妨害を回避するために、従来必要とした妨害波の検出のために無線通信機２の受信回路を動作させることも、妨害波レベルの設定および該レベルの調整をすることも不要となり、妨害回避が最適に行われる。
【００１５】
微弱電波で送信される情報については、メール、文章などのテキストデータであっても、音声、画像などのメディアデータであってもよい。
【００１６】
上記において、携帯電話機１に装着された無線通信機２と、携帯情報端末装置３に装着された無線通信機４との交信の場合を説明したが、時分割で双方向通信を行っている無線通信装置において、送信タイミングを外部から知ることができれば、妨害回避に適用することができる。
【００１７】
【発明の効果】
以上説明したように本発明にかかる無線通信装置によれば、無線通信装置による微弱電波による交信に際し、携帯電話機の受信タイミングに同期して微弱電波の送受信を行うようにしたため、携帯電話機の送信電波による微弱電波への妨害が回避される。
【００１８】
また、以上説明したように本発明にかかる無線通信装置によれば、妨害回避のために従来必要とした妨害波の検出のために第１無線通信機の受信回路を動作させることは不要となり、消費電力を低減させることができ、妨害波レベルの設定および該レベルの調整をすることも不要となって、調整工程が不要となる。
【図面の簡単な説明】
【図１】本発明の実施の一形態にかかる無線通信装置の微弱電波の送受信タイミングを示すタイミング図である。
【図２】無線通信装置の構成を示すブロック図である。
【図３】無線通信装置における従来の微弱電波の送受信タイミングを示すタイミング図である。
【符号の説明】
１　携帯電話機
２および４　無線通信機
３　携帯情報端末装置
【図１】
2004064403.tif 000003
【図２】
2004064403.tif 000004
【図３】
2004064403.tif 000005